(57)【要約】【課題】読取装置を小型化し、シェーディング補正の処理速度を向上させること。【解決手段】原稿を載置する載置手段と、光電変換部と光源とを有し、前記原稿を読み取る読取手段と、光量ばらつきによる前記光電変換部の明部側の利得を調整する明部側調整手段と、前記載置手段における前記読取手段の待機位置に、前記読取手段と対向して配置された光量基準部とを備えた読取装置であって、前記明部側の利得調整を行う場合、前記読取手段は、前記待機位置にて前記光量基準部に関する情報を取得し、前記明部側調整手段は、あらかじめ記憶手段に記憶されている前記光量基準部に関する基準情報と前記情報とを比較して、前記利得調整を行うことを特徴とする読取装置。【選択図】図７
2016213572.tif 000002
【特許請求の範囲】
【請求項１】
原稿を載置する載置手段と、
光電変換部と光源とを有し、前記原稿を読み取る読取手段と、
光量ばらつきによる前記光電変換部の明部側の利得を調整する調整手段と、
前記載置手段における前記読取手段の待機位置に、前記読取手段と対向して配置された光量基準部と、
を備えた読取装置であって、
前記明部側の利得調整を行う場合、前記読取手段は、前記待機位置にて前記光量基準部に関する情報を取得し、
前記調整手段は、あらかじめ記憶手段に記憶されている前記光量基準部に関する基準情報と前記情報とを比較して、前記利得調整を行うことを特徴とする読取装置。
【請求項２】
前記記憶手段は、前記利得調整の後、前記情報を前記基準情報として記憶することを特徴とする請求項１に記載の読取装置。
【請求項３】
前記記憶手段が前記基準情報を未記憶の場合、
前記読取手段は、前記載置手段に一時的に取り付けられた白色基準板に関する白基準情報を取得し、
前記記憶手段は、前記白基準情報を前記基準情報として記憶することを特徴とする請求項１または２に記載の読取装置。
【請求項４】
前記調整手段は、濃度の情報を比較することで、前記利得調整を行うことを特徴とする請求項１から３のいずれか一項に記載の読取装置。
【請求項５】
光量ばらつきによる前記光電変換部の暗部側の利得を調整する調整手段をさらに備えることを特徴とする請求項１から４のいずれか一項に記載の読取装置。
【請求項６】
前記光量基準部は、前記載置手段と一体に成形されることを特徴とする請求項１から５のいずれか一項に記載の読取装置。
【請求項７】
前記光量基準部は、前記載置手段と別体の部材であり、前記載置手段に取り付けられることを特徴とする請求項１から５のいずれか一項に記載の読取装置。
【請求項８】
前記光量基準部は、無彩色かつ所定の輝度の色を有することを特徴とする請求項１から７のいずれか一項に記載の読取装置。
【請求項９】
前記光量基準部は、前記読取手段が移動する方向に垂直な主走査方向において前記白色基準板より小さいことを特徴とする請求項３から８のいずれか一項に記載の読取装置。
【請求項１０】
前記光量基準部は、前記読取手段が移動する副走査方向において前記白色基準板より小さいことを特徴とする請求項３から９のいずれか一項に記載の読取装置。
【請求項１１】
原稿を載置する載置手段と、
光電変換部と光源とを有し、前記原稿を読み取る読取手段と、
光量ばらつきによる前記光電変換部の明部側の利得を調整する調整手段と、
前記載置手段における前記読取手段の待機位置に、前記読取手段と対向して配置された光量基準部と、
を備えた読取装置の制御方法であって、
前記明部側の利得調整を行う場合、前記読取手段が、前記待機位置にて前記光量基準部に関する情報を取得する取得工程と、
記憶手段が前記情報を記憶する記憶工程と、
前記調整手段が、あらかじめ前記記憶手段が記憶していた前記光量基準部に関する基準情報と前記情報とを比較する比較工程と、
前記調整手段が、前記比較工程の結果に基づき前記光電変換部の利得を調整する調整工程と、
を備えることを特徴とする制御方法。
【請求項１２】
前記調整工程の後、前記記憶手段が、前記情報を前記基準情報として記憶する記憶工程をさらに備えることを特徴とする請求項１１に記載の制御方法。
【請求項１３】
前記記憶手段が前記基準情報を未記憶の場合、
前記読取手段が、前記載置手段に一時的に取り付けられる白色基準板に関する白基準情報を取得する取得工程と、
前記記憶手段が、前記白基準情報を前記基準情報として記憶する記憶工程と、
を備えることを特徴とする請求項１１または１２に記載の制御方法。
【請求項１４】
前記比較工程では、前記調整手段が濃度の情報を比較することで、前記利得調整を行うことを特徴とする請求項１１から１３のいずれか一項に記載の制御方法。
【請求項１５】
請求項１１から１４のいずれか一項に記載の制御方法をコンピュータに実行させるプログラム。
【発明の詳細な説明】
【技術分野】
【０００１】
本発明は、読取装置、制御方法及びプログラムに関する。
【背景技術】
【０００２】
従来から画像読取装置（例えば、スキャナ）では、撮像素子であるイメージセンサから出力されたアナログ信号をサンプルし、オフセット調整、ゲイン調整等をした後にＡ／Ｄ変換器でデジタルデータに変換している。デジタルデータに変換した後に、読取りセンサ及び光源の各画素毎のばらつきを補正するため、シェーディング補正をして画像データを得ている。
【０００３】
シェーディング補正には、各画素毎のオフセットを補正する黒シェーディング補正と各画素毎のゲインを補正する白シェーディング補正とがある。画像読取装置は、読取り開始前に黒及び白シェーディング再取得判断を行い、必要に応じて黒及び白のシェーディング補正を行っている（特許文献１）。
【先行技術文献】
【特許文献】
【０００４】
【特許文献１】特開２００６−３０３７１０号公報
【発明の概要】
【発明が解決しようとする課題】
【０００５】
しかしながら、上記シェーディング補正に際して以下のような問題が生じていた。例えば、読取り開始前に白シェーディング補正をするためには、白シェーディングをおこなう白色基準板が画像読取装置内に必要になる。この場合、画像読取装置の読取り可動領域内に白色基準板を配置する必要があるため、後述する装置の副走査方向の幅が必然的に大きくなってしまう。また白シェーディング補正そのものを実施する処理時間が増大し、実際の読取り時間増大につながってしまっていた。
【０００６】
本発明は、読取装置を小型化し、シェーディング補正の処理速度を向上させる技術を提供することにある。
【課題を解決するための手段】
【０００７】
本発明によれば、例えば、原稿を載置する載置手段と、光電変換部と光源とを有し、前記原稿を読み取る読取手段と、光量ばらつきによる前記光電変換部の明部側の利得を調整する明部側調整手段と、前記載置手段における前記読取手段の待機位置に、前記読取手段と対向して配置された光量基準部とを備えた読取装置であって、前記明部側の利得調整を行う場合、前記読取手段は、前記待機位置にて前記光量基準部に関する情報を取得し、前記明部側調整手段は、あらかじめ記憶手段に記憶されている前記光量基準部に関する基準情報と前記情報とを比較して、前記利得調整を行うことを特徴とする読取装置が提供される。
【発明の効果】
【０００８】
本発明によれば、読取装置を小型化し、シェーディング補正の処理速度を向上させることができる。
【図面の簡単な説明】
【０００９】
【図１】本発明の実施形態に係る読取装置の原稿カバーを開けた状態の斜視図。
【図２】画像読取センサの断面図。
【図３】実施形態に係る複合機の制御構成を示すブロック図。
【図４】図３のアナログ処理部と読取画像処理部の一部をより詳細に示すブロック図。
【図５】実施形態に係る白色基準板が一時的に取り付けられた読取装置を示す斜視図。
【図６】シェーディングデータ取得処理のシーケンスを示すフローチャート。
【図７】第１実施形態に係る光量変動基準部の詳細を示す斜視図。
【図８】第２実施形態に係る光量変動基準部の詳細を示す斜視図。
【図９】従来構成におけるキャリブレーションシート構成を示す斜視図。
【発明を実施するための形態】
【００１０】
＜本体構成＞
以下、本発明の例示的な実施形態について図面を参照して説明する。本発明は、読取装置及び読取装置の制御に関し、より詳細には読取装置におけるシェーディング補正に関するものである。まず、図１、図２を用いて本発明の一実施形態である画像読取装置１について説明する。各図において、同じ参照符号は、同じ要素を示している。各図において、紙面に対する上下左右方向を、本実施形態における装置の上下左右方向として、本文中の説明の際に用いることとする。
【００１１】
図１は本実施形態に係る画像読取装置（読取装置）の構成図（例えば、複合機全体から画像読取装置のみを切り出したもの）、図２は画像読取センサ（読取部）を示す概略構成断面図である。図１に示すように、画像読取装置１は、図示しない原稿を載置する原稿台ガラス２、原稿を読み取る画像読取センサ３、原稿台ガラス２及び画像読取センサ３を保持する原稿台保持部材４を備える。なお、原稿台ガラス２と原稿台保持部材４とで原稿を載置する載置部を構成してもよい。
【００１２】
画像読取装置１によって原稿を読み取る際には、画像読取装置１の上面に取り付けられた原稿台ガラス２上に図示しない原稿をセットする。次いで、原稿台ガラス２を介して原稿と反対側に位置する画像読取装置１内の画像読取センサ３を原稿台ガラス２に平行に走査することにより、原稿の画像を読み取る。このとき画像読取センサ３は、図１中略左右方向である矢印Ａ方向に原稿台ガラス２及び原稿台保持部材４に対して相対移動することで走査可能である。なお、以下の説明において画像読取センサ３の上記移動方向を副走査方向とし、副走査方向に対して垂直な方向を主走査方向とする。
【００１３】
また、原稿台ガラス２上には、原稿を原稿台ガラス２上に押圧するための原稿押圧部材としての原稿カバー２１が、原稿台保持部材４に開閉可能に取り付けられている。この原稿カバー２１内面の原稿台ガラス２との対向面には、シート材とスポンジからなる原稿圧着シート２２が貼り付けられている。
【００１４】
図２に示すように画像読取センサ３は、その内部に原稿照射用の光源である三色のＬＥＤ（光源）３Ｒ、３Ｇ、３Ｂを備える。また画像読取センサ３は、ラインセンサ（光電変換部）１０３及び原稿からの反射光をラインセンサ１０３の受光素子上に結像するロッドレンズアレイ３Ｌを備える。画像読取センサ３は、三色のＬＥＤ３Ｒ、３Ｇ、３Ｂを順次切り替えて点灯し、ラインセンサ１０３が各色毎に原稿からの反射光を読取ることにより、色分解読取りをする。
【００１５】
＜制御構成＞
図３は、本発明の一実施形態としてのスキャナ機能、プリント機能及びコピー機能を有する画像読取装置１を備える複合機の制御構成を示すブロック図を示す。図中、１０１は複合機全体を制御するＣＰＵである。１０２はＣＰＵ１０１の作業領域及びデータの一時記憶領域（記憶部）となるＲＡＭである。なお記憶部としては、ＲＡＭ１０２に限定されず、複合機の外部に設けられた形態を採用してもよい。１０３は画像データを読取る撮像素子としてのＣＣＤデバイスであり、例えば上記ラインセンサが含まれる。１０４は、少なくとも画像読取装置１を駆動するためのフェームウェアプログラムや、フェームウェアプログラムを制御するためのブートプログラムを記憶しており、ＣＰＵ１０１によって使用されるＲＯＭである。
【００１６】
１０５はＣＣＤ１０３から出力されたアナログ画像信号を増幅及びサンプルした後、Ａ／Ｄ変換を行ってデジタル画像データを出力するアナログ処理部である。１０７はアナログ処理部１０５から出力されたデジタル画像データに対して、エッジ強調、色変換等の画像処理を行う読取画像処理部である。これらＣＣＤ１０３、アナログ処理部１０５、画像処理部１０７によって、原稿を読取るスキャナ機能が実現される。なお本実施形態の画像読取装置１では、光源で原稿を照射しつつ、ライン型のＣＣＤ（ラインセンサ）１０３を走査させて反射光を読取ることでスキャナ機能が実現される。
【００１７】
１０９はキー入力部及び表示部を持ち、ユーザがコピーモード、スキャンモード等のモード選択と動作の開始等のオペレーションを指示するためのユーザインタフェースとして働くオペレーション制御部である。１１１は読取った画像データや記録する画像データを一時的に蓄える画像メモリである。１１３はスキャン時には読取った画像データを接続されたＰＣに送信し、プリント時には接続されたＰＣから画像データや制御データを受信するＰＣｉ／ｆ（インタフェース）である。
【００１８】
１１５は記録すべき画像データのサイズを変倍したり、プリントヘッドの仕様に合わせる量子化処理等を実行する記録画像処理部である。１１７は記録画像処理部１１５から出力された画像データをプリントヘッドに応じた形式に変換し、ヘッド駆動信号を生成する記録ヘッド制御部である。１１９は記録紙にインクジェット方式に従って記録するプリントヘッドである。
【００１９】
図４は、図３に示した制御構成のうち、アナログ処理部１０５と読取画像処理部１０７の一部をより詳細に示すブロック図である。２０１はＣＣＤ１０３で読取ったアナログ画像信号をサンプルするサンプル＆ホールド回路である。２０３はサンプルされたアナログ信号に対してオフセット電圧を加算して後段にあるＡ／Ｄ変換器２０７の零電圧を調整するオフセット調整部である。２０５はオフセット調整部２０３から出力された信号に対してＧＡＩＮ調整を行い、後段にあるＡ／Ｄ変換器２０７のリファレンス電圧以内に入るようにする可変ＧＡＩＮ調整部である。２０７は可変ＧＡＩＮ調整部２０５から出力されたアナログ信号をデジタル値に変換するＡ／Ｄ変換器である。
【００２０】
２０９は読取画像処理部１０７の一部を構成するシェーディング補正部である。このシェーディング補正部２０９は２つのブロックから構成され、２１１は１画素毎のゲインのバラツキと光源のバラツキ（光量ばらつき）を補正する白シェーディング補正部である。また、２１９は１画素毎のオフセットのバラツキを補正する黒シェーディング補正部である。
【００２１】
＜白及び黒シェーディング補正＞
ここで２１１の白シェーディング補正部による最初の白シェーディングと調光は図５に示すように画像読取装置１の原稿台ガラス２上に工場出荷時に一時的に取り付けられる白色基準板６を用いて一度だけ実施される。このとき画像読取センサ３によって取得されたデータは、上記ＲＡＭ１０２等の白シェーディングメモリ（記憶部）にＣＣＤ１０３の画素分格納される。なお一時的に取り付けられる白色基準板６は画像読取センサ３の主走査方向幅と略同一長さを備え、副走査方向の任意の場所に設置される。またこのデータ取得の際に、後述する光量変動基準部（光量基準部）の参照範囲における再取得判断用のデータＡ（白）（基準情報）と調光時間を取得し、記憶しておく。
【００２２】
上記最初の白シェーディングと調光が行われた後に、実際に画像を読取る際には、以下に説明する濃度安定化処理を行う場合がある。オフセット調整部２０３と可変ＧＡＩＮ調整部２０５との調整値としてＣＰＵ１０１によって適切な値を設定してから、上記再取得判断用のデータＡ（白）の濃度と光量変動基準部の参照範囲の現在の濃度とを比較する。その比率の逆数を上記で取得しておいた調光時間に掛けてＣＰＵ１０１による演算処理をおこない調光時間を補正する（明部側の利得調整）。
【００２３】
具体的には、濃度安定化処理を実施する際には光源を点灯しＣＣＤ１０３の読取位置を光量変動基準部の位置（待機位置、ＣＣＤ１０３の読取時における待機位置と同一位置）に配置する。その後に、画像読取センサ３が光量変動基準部の参照範囲において現在の再取得判断用データＢ（白）（情報）を取得する。次いで、ＣＰＵ（調整部）１０１がこの再取得判断用データＢ（白）の濃度と再取得判断用データＡ（白）の濃度とを比較する。その比較したデータにより調光時間を補正した上でアナログ処理部１０５によってデジタル画像データに変換し、それをＲＡＭ１０２の白シェーディングメモリにＣＣＤ１０３の画素分格納する。
【００２４】
次に黒シェーディングデータを取得する際には、光源を消灯して画像読取センサ３が画像データを読取る。その読取ったアナログ画像信号はアナログ処理部１０５にてデジタル画像データに変換され、その後ＣＰＵ（調整部）１０１を介してＲＡＭ１０２の黒シェーディングメモリにＣＣＤ１０３の画素分格納される（暗部側の利得調整）。なお、ここではＣＣＤ１０３がモノクロセンサである場合について説明したが、ＣＣＤ１０３がカラーセンサの場合には、白及び黒シェーディングメモリには、各画素についてＲＧＢ３色分のデータをそれぞれ格納することとなる。
【００２５】
図６は上記白及び黒シェーディングデータ取得処理のシーケンスを示すフローチャートである。なお、本フローチャートで示される処理を実現するプログラムは、ＲＯＭ１０４内に記憶されている。ＣＰＵ１０１がこの処理プログラムを読み出して実行することにより、各処理動作を行う。本シーケンスにおいては、白シェーディング処理のシーケンスから始める。Ｓ６０１でＲＡＭ１０２が白シェーディングデータを取得した履歴があるか判断する。Ｓ６０１で白シェーディング（ＳＨＤ）データを取得した履歴がない（未記憶）場合（Ｓ６０１でＮＯの場合）、Ｓ６１４で後述する調光処理を行う。Ｓ６０１で白シェーディングデータを取得した履歴がある場合（Ｓ６０１でＹＥＳの場合）、Ｓ６０２で画像読取センサ３が光量変動基準部において現在の再取得判断用データＢ（白）を取得し（取得工程）、記憶部がこれを記憶する（記憶工程）。
【００２６】
Ｓ６０３でＣＰＵ１０１は、あらかじめ取得し記憶しておいた再取得判断用のデータＡ（白）と再取得判断用データＢ（白）との差異が所定のしきい値（％）以上か否か判断する（比較工程）。Ｓ６０３で、上記比較工程の結果上記差異が所定のしきい値（％）以上でない場合（Ｓ６０３でＮＯの場合）、Ｓ６１０で後述する黒シェーディング取得処理シーケンスへ移行する。Ｓ６０３で上記差異が所定のしきい値（％）以上である場合（Ｓ６０３でＹＥＳの場合）、Ｓ６０４で上記した濃度安定化処理を開始する。Ｓ６０５でＣＰＵ１０１は、上記した再取得判断用のデータＡ（白）の濃度と再取得判断用データＢ（白）の濃度との比率の逆数を取得しておいた調光時間に掛けて調光時間を補正して調光データを調整し（調整工程）、実施する。Ｓ６０６で記憶部が補正された調光時間を記憶し、調光データを更新する。Ｓ６０７で画像読取センサ３が補正された調光時間で光量変動基準部の再取得判断用データＣ（白）を取得する。Ｓ６０８で再取得判断用データＣ（白）を再取得判断用データＡとして更新して、記憶部がこれを記憶する（記憶工程）。Ｓ６０９で濃度安定化処理を終了する。
【００２７】
次いで黒シェーディングデータ取得処理のシーケンスを実行する。Ｓ６１０でＲＡＭ１０２が黒シェーディング（ＳＨＤ）データを取得した履歴があるか判断する。Ｓ６１０で黒シェーディングデータを取得した履歴がない場合（Ｓ６１０でＮＯの場合）、Ｓ６１７で後述する黒シェーディングデータの取得を行う。Ｓ６１０で黒シェーディングデータを取得した履歴がある場合（Ｓ６１０でＹＥＳの場合）、Ｓ６１１で光源を消灯して、画像読取センサ３が光量変動基準部において現在の再取得判断用データＢ（黒）を取得し、記憶部がこれを記憶する。Ｓ６１２でＣＰＵ１０１は、あらかじめ取得し記憶しておいた再取得判断用のデータＡ（黒）と再取得判断用データＢ（黒）との差異が所定のしきい値（％）以上か否か判断する。Ｓ６１２で上記差異が所定のしきい値（％）以上でない場合（Ｓ６１２でＮＯの場合）、黒シェーディングデータ取得処理を終了して、Ｓ６１３で最後に上記のデータを基に白シェーディングデータを作成して記憶部に記憶して本シーケンスの処理を終了する。
【００２８】
Ｓ６１２で上記差異が所定のしきい値（％）以上である場合（Ｓ６１２でＹＥＳの場合）、Ｓ６１７で光源を消灯して、画像読取センサ３が光量変動基準部の黒シェーディングデータを取得する。なお、この黒シェーディングデータは、Ｓ６１１で取得した再取得判断用データＢ（黒）でもよい。Ｓ６１８で黒シェーディングデータを再取得判断用データＡ（黒）として更新して、記憶部がこれを記憶する。次いで、黒シェーディングデータ取得処理を終了して、Ｓ６１３で最後に上記のデータを基に白シェーディングデータを作成して記憶部に記憶して本シーケンスの処理を終了する。
【００２９】
なお、Ｓ６０１で白シェーディングデータを取得した履歴がない場合（Ｓ６０１でＮＯの場合）、Ｓ６１４で調光処理を行う。Ｓ６１５で上記した工場出荷時に一時的に取り付けられる白色基準板６を用いて、画像読取センサ３が白シェーディングデータ（白基準情報）を取得する工程を一度だけ実施する。Ｓ６１６で白シェーディングデータを再取得判断用データＡ（白）として更新して、記憶部がこれを記憶する（記憶工程）。次いで、白シェーディングデータ取得処理を終了して、黒シェーディングデータ取得処理へ移行する。
【００３０】
＜光量変動基準部＞
＜第一実施形態＞
図７は光量変動基準部の第一実施形態の詳細を示す図であり、図１の画像読取装置１の原稿台ガラス２を１８０°反転させ裏返しにした状態のものである。原稿台ガラス２は原稿台保持部材４に一体的に取り付けられており、図示しない両面テープで固定されている。
【００３１】
本実施形態では光量変動基準部は原稿台保持部材４と一体に成形され、原稿台保持部材４の参照範囲４Ｎで示す箇所に設けられている。ここで原稿台保持部材４の少なくとも参照範囲４Ｎは無彩色かつ明るい色であることが望ましい。明るい色とは、例えば、光源の光を白色基準板と同等の光量で反射可能な色である所定の輝度の色を例示できる。
【００３２】
また、参照範囲４Ｎは、原稿台保持部材４における読取りセンサ３の待機位置に、読取りセンサ３と対向して配置される。読取りセンサ３の待機位置とは、読取りセンサ３が画像を読み取る際のホームポジションまたは後述するシェーディング補正の際に読取りセンサ３を移動させることがない位置を例示できる。
【００３３】
さらに、参照範囲４Ｎは、読取りセンサ３が移動する方向に垂直な主走査方向において白色基準板より小さく設定される。また、参照範囲４Ｎは、読取りセンサ３が移動する副走査方向において白色基準板より小さく設定される。具体的には、参照範囲４Ｎは、原稿台保持部材４において原稿台ガラス２と重なる箇所または重ならない箇所であって、原稿台保持部材４を図１に示すように表から見た状態で、外部から見えない箇所に設けられている。参照範囲４Ｎは、原稿台保持部材４において原稿台ガラス２と重なる箇所であっても、原稿台ガラス２を透して読取りセンサ３によって認識される。なお、図中参照範囲４Ｎは、原稿台保持部材４の主走査方向における中央部分に配置されているがこれに限定されず、原稿台保持部材４の側方に寄って配置されてもよい。
【００３４】
ここで図９に示す従来の構成では、読取り開始前に白シェーディング再取得判断を行い、必要に応じて白のシェーディングを行うために原稿台保持部材４に設けたキャリブレーションシート１５が必要になっていた。このキャリブレーションシート１５は、読取センサ３の主走査方向と略同じ長さで、副走査方向に対して読取センサ３より広い所定の幅が必要とされた。これは、キャリブレーションシート１５による白シェーディング時、キャリブレーションシート１５上のゴミ等の異物除去のため、読取りセンサ３を副走査方向に移動させながら複数回のデータ取得を必要とするためである。また読取りセンサ３の組立ばらつきや停止精度等を考慮し、副走査方向にもある程度の幅を必要とする。そのため従来の構成では、画像読取装置の副走査方向の装置サイズがキャリブレーションシート１５の副走査幅分大きくなってしまう。
【００３５】
そこで本実施形態では、シェーディングのための光量変動基準部を原稿台保持部材４における読取りセンサ３の待機位置であって、読取りセンサ３と対向した装置内側に配置している。したがって、濃度安定化処理を実施する際に読取りセンサ３を副走査方向に走査させる必要は無く、読取り待機位置で光源を点灯させ原稿ガラス２を通して原稿台保持部材４の参照範囲４Ｎにおいて再取得判断用のデータを取得する。
【００３６】
さらに、上述した本実施形態の構成では図９に示すようにキャリブレーションシート１５を設ける必要がないため、画像読取装置１の副走査方向の装置サイズをキャリブレーションシートの幅分小さくすることが可能になっている。さらに、読取センサ３を待機位置から移動させる必要がないため、読取り前処理時間の短縮も可能となっている。
【００３７】
＜第二実施形態＞
図８は光量変動基準部の第二実施形態の詳細を示す図であり、図７と同様に画像読取装置１の原稿台ガラス２を１８０°反転させ裏返しにした状態のものである。
【００３８】
本実施形態では光量変動基準部５は原稿台保持部材４と別体の部材であり、原稿台保持部材４に溶着や接着等の所定の固着方法により取り付けられている。光量変動基準部５の色、取り付け位置等は上記した参照範囲４Ｎにおける光量変動基準部と同様である。なお、光量変動基準部５の大きさは、参照範囲４Ｎにおける光量変動基準部より小さく設定されており、例えば読取りセンサ３のＣＣＤ１０３が検知できる大きさであればよい。また、光量変動基準部５は、原稿台ガラス２に取り付けられてもよく、この場合原稿台保持部材４と重なる位置で、原稿台ガラス２の所定箇所に取り付けられる。さらに、光量変動基準部５は、原稿台保持部材４または原稿台ガラス２を樹脂等により射出成型する際に、インサート成形によってこれらに組み込まれてもよい。
【００３９】
光量変動基準部５を用いて濃度安定化処理を行う際には、上述したように再取得判断用のデータとして濃度を取得するだけなので、読取りセンサ３を副走査方向に走査させる必要は無く、待機位置で光源を点灯させ再取得判断用のデータを取得すればよい。そのため画像読取装置１が図９に示す従来のキャリブレーションシート１５の副走査方向の幅を収容する必要がない。また参照範囲として主走査方向全域の長さを必要としないので、画像読取装置１の主走査の長さも短くすることができる。これにより光量変動基準部５を原稿載置台保持部材４と別部品で構成しても画像読取装置１の装置サイズを小さくすることが可能になっており、上記したように読取り前処理時間の短縮も可能となっている。さらに、光量変動基準部５を原稿台保持部材４と別部材とすることで、例えば原稿台保持部材４を暗い色で成形した場合でも、明るい色の光量変動基準部５を取り付けることで再取得判断用のデータを容易に取得することができる。
【００４０】
また上記したように本実施形態によれば、白色基準板を用いた明部側の利得調整は最初に一度だけ行う。次に光電変換部の明部側の利得調整が必要な際には、あらかじめ取得したデータと光量変動基準部から取得したデータの濃度比較によって利得調整を行う。こうすることで、従来のキャリブレーションシート１５を配置していた分の読取装置の小型化と、従来の読取りセンサの移動分のシェーディング補正の処理速度の向上を図った画像読取装置を提供することが可能になる。さらには装置の小型化によりコストダウンにも寄与する。
【００４１】
＜他の実施形態＞
以上説明した実施形態では、撮像素子としてＣＣＤを採用したラインセンサで読取る画像読取装置に本発明を適用したものを例にあげて説明したが、本発明は他の方式の撮像素子を採用した読取装置にも適用できる。なお、本実施形態は画像読取装置１を例示して説明したが、本発明は画像読取装置に限定して適用されるものではなく、原稿を読み取る必要のある装置、例えば、ファクシミリ、複写機等にも適用可能である。
【００４２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４３】
１  画像読取装置、２  原稿台ガラス、３  読取りセンサ、４  原稿台保持部材、５  光量変動基準部、１０７  読取画像処理部
【図２】
2016213572.tif 000003
【図３】
2016213572.tif 000004
【図４】
2016213572.tif 000005
【図６】
2016213572.tif 000006
【図１】
2016213572.tif 000007
【図５】
2016213572.tif 000008
【図７】
2016213572.tif 000009
【図８】
2016213572.tif 000010
【図９】
2016213572.tif 000011